(57)【要約】通信セッションを確立する方法は、セッション管理機能構成要素によってメッセージを受信して新しい通信セッション確立することと、このセッション管理機能構成要素が、ポリシー制御機能構成要素がＥＰＳベアラ識別子を提供する無線通信技術に従って構成されているかどうかに関する情報を要求する要求メッセージを送信することと、このセッション管理機能構成要素が、ポリシー制御機能構成要素から応答メッセージを受信し、この応答メッセージがＥＰＳベアラ識別子が必要であるかどうかに関してを示すメッセージフィールドを含んでいることと、このセッション管理機能構成要素が、セッション確立メッセージをアクセス及びモビリティ管理機能構成要素に送信し、ＥＰＳベアラ識別子がセッション確立メッセージに含まれている場合に、このＥＰＳベアラ識別子に基づいて通信セッションを確立することとを含んでもよい。【選択図】図１
2020501383.tif 000002
【特許請求の範囲】
【請求項１】
通信接続を確立する方法であって、
セッション管理機能構成要素によって移動体無線通信ネットワークの通信ネットワーク構成要素においてメッセージを受信して、新しい通信セッションを確立するステップと、
前記セッション管理機能構成要素が、前記接続のためのＥＰＳ（Ｅｖｏｌｖｅｄ  Ｐａｃｋｅｔ  Ｓｙｓｔｅｍ）ベアラ識別子が前記通信接続に必要であるかどうかに関する情報を要求する要求メッセージをポリシー制御機能構成要素に送信するステップと、
前記セッション管理機能構成要素が、前記ポリシー制御機能構成要素から応答メッセージを受信するステップであって、前記応答メッセージが、ＥＰＳベアラ識別子が必要であるかどうかに関してを示すメッセージフィールドを含んでいる、ステップと、
前記セッション管理機能構成要素が、ＥＰＳベアラ識別子割り当て要求メッセージをアクセス及びモビリティ管理機能構成要素に送信し、前記セッション管理機能構成要素が、前記アクセス及びモビリティ管理機能構成要素から応答メッセージを受信するステップであって、前記応答メッセージが、割り当てられたＥＰＳベアラ識別子を示すメッセージフィールドを含んでいる、ステップと、
を含む方法。
【請求項２】
通信セッションを確立する方法であって、
ポリシー制御機能構成要素が、セッション管理機能構成要素から、接続のためのＥＰＳベアラ識別子が必要であるかどうかに関する情報を要求する要求メッセージを受信するステップと、
前記ポリシー制御機能構成要素が、前記要求メッセージにおいて示された前記接続のためのＥＰＳベアラ識別子が必要であるかどうかを判定するステップと、
前記接続のためのＥＰＳベアラ識別子が必要である場合に、前記接続のためのＥＰＳベアラ識別子を生成し、応答メッセージにおいて前記セッション管理機能構成要素に送信するステップと、
を含む方法。
【請求項３】
前記接続のためのＥＰＳベアラ識別子が不要である場合に、ＥＰＳベアラ識別子が前記接続に必要ないことを示す応答メッセージを生成して、前記セッション管理機能構成要素に送信する、請求項２に記載の方法。
【請求項４】
前記接続のためのＥＰＳベアラ識別子が、異なる通信ネットワークのスライス及び／又はドメインネットワーク名の間の優先順位付けを考慮することに基づくかどうかを判定する、請求項２又は３のいずれか一項に記載の方法。
【請求項５】
通信セッションを確立するためのセッション管理機能デバイスであって、
移動体無線通信ネットワークの通信ネットワーク構成要素においてメッセージを受信して新しい通信セッションを確立するように構成された受信器と、
接続のためのＥＰＳベアラ識別子が必要であるかどうかに関する情報を要求する要求メッセージをポリシー制御機能構成要素に送信するように構成された送信器と、を備え、
前記受信器が、前記ポリシー制御機能構成要素から応答メッセージを受信するようにさらに構成され、前記応答メッセージが、ＥＰＳベアラ識別子が必要であるかどうかに関してを示すメッセージフィールドを含んでおり、
前記送信器が、セッション確立メッセージをアクセス及びモビリティ管理機能構成要素に送信し、前記ＥＰＳベアラ識別子が前記セッション確立メッセージに含まれている場合に、前記ＥＰＳベアラ識別子に基づいて通信セッションを確立するようにさらに構成されている、セッション管理機能デバイス。
【請求項６】
通信セッションを確立するポリシー制御機能デバイスであって、
セッション管理機能構成要素から、接続のためのＥＰＳベアラ識別子が必要であるかどうかに関する情報を要求する要求メッセージを受信するように構成された受信器と、
前記要求メッセージにおいて示された前記接続のためのＥＰＳベアラ識別子が必要であるかどうかを判定するように構成された判定器と、
前記接続のためのＥＰＳベアラ識別子が必要である場合に、前記接続のためのＥＰＳベアラ識別子を生成し、応答メッセージにおいて前記ＥＰＳベアラ識別子を前記セッション管理機能構成要素に送信するように構成された生成器とを備えている、ポリシー制御機能デバイス。
【請求項７】
前記生成器が、前記接続のためのＥＰＳベアラ識別子が不要な場合に、ＥＰＳベアラ識別子が前記接続に必要ないことを示す応答メッセージを生成して、前記セッション管理機能構成要素に送信するように構成されている、請求項６に記載のポリシー制御機能デバイス。
【請求項８】
前記判定器が、前記接続のためのＥＰＳベアラ識別子が異なる通信ネットワークのスライス及び／又はドメインネットワーク名の間の優先順位付けを考慮することに基づくかどうかを判定するようにさらに構成されている、請求項６又は７のいずれか一項に記載のポリシー制御機能デバイス。
【発明の詳細な説明】
【技術分野】
【０００１】
[001]本開示のさまざまな態様は、一般には通信接続を確立するための方法及びデバイスに関連する。
【背景技術】
【０００２】
[002]５Ｇにおいて新しい通信接続（例えば、新しい通信セッション）（言い換えると、ＱｏＳフロー）を確立するときに、５Ｇの移動体通信ネットワークのコアネットワークの構成要素は、いわゆるＥＰＳ（Ｅｖｏｌｖｅｄ  Ｐａｃｋｅｔ  Ｓｙｓｔｅｍ）ベアラ識別子（ＩＤ）（ＥＢＩ）（４ＧのＥＰＣ（Ｅｖｏｌｖｅｄ  Ｐａｃｋｅｔ  Ｃｏｒｅ）へのハンドオーバの場合に使用される４Ｇのパラメータ）を割り当てる必要がある。４Ｇの移動体無線通信ネットワークでは、ＥＢＩの数が８に制限されているため、５ＧＣでの通信セッションの数がＥＰＣで使用できるＥＢＩの数よりも多くなることが発生し得る。したがって、通信ネットワークは、使用可能なＥＢＩをどの通信セッションに割り当てるかを決定する必要がある。
【発明の概要】
【０００３】
通信接続を確立する方法は、セッション管理機能構成要素によって移動体無線通信ネットワークの通信ネットワーク構成要素においてメッセージを受信して、新しい通信セッションを確立することと、このセッション管理機能構成要素が、接続のためのＥＰＳベアラ識別子が通信接続に必要であるかどうかに関する情報を要求する要求メッセージをポリシー制御機能構成要素に送信することと、このセッション管理機能構成要素が、ポリシー制御機能構成要素から応答メッセージを受信することであって、この応答メッセージが、ＥＰＳベアラ識別子が必要であるかどうかに関してを示すメッセージフィールドを含んでいる、ことと、このセッション管理機能構成要素が、ＥＰＳベアラ識別子割り当て要求メッセージをアクセス及びモビリティ管理機能構成要素に送信し、このセッション管理機能構成要素が、アクセス及びモビリティ管理機能構成要素から応答メッセージを受信することであって、この応答メッセージが、割り当てられたＥＰＳベアラ識別子を示すメッセージフィールドを含んでいる、こととを含む。
【０００４】
[003]各図面では、類似する参照文字は、通常、異なる図全体を通じて同じ部分を参照している。各図面の縮尺は必ずしも正確ではなく、代わりに、通常は、本開示の原理を説明することに重点が置かれている。以下の説明では、以下の図面を参照して、本開示のさまざまな実施形態が説明される。
【図面の簡単な説明】
【０００５】
【図１】通信セッション開始プロセス中に５Ｇの通信ネットワークでの通信接続のＥＢＩの状態を確立するために提供されるさまざまなメッセージを示すメッセージシーケンス図である。
【図２】新しいセッションのＥＢＩの状態がＰＣＦによって確立されるときに、通信セッション開始プロセス中に５Ｇの通信ネットワークでの通信接続のＥＢＩパラメータを決定するために提供されるさまざまなメッセージの１つのバージョンを示すメッセージシーケンス図である。
【図３】ローミングの場合に、通信セッション開始プロセス中に５Ｇの通信ネットワークでの通信接続のＥＢＩパラメータを決定するために提供されるさまざまなメッセージのさらに詳細なバージョンを示すメッセージシーケンス図である。
【発明を実施するための形態】
【０００６】
[004]さまざまな通信ネットワークの世代が共存する移動体無線通信ネットワークでは、携帯電話、又は移動体無線通信ネットワークに接続されたデバイス（接続された車両を含む）の中にある構成要素などのユーザ機器（ＵＥ：Ｕｓｅｒ  Ｅｑｕｉｐｍｅｎｔ）デバイス、及びモノのインターネット内のデバイスは、２つの移動体無線通信ネットワークが、５Ｇ及び４Ｇなどの２つの異なる移動体無線通信ネットワークの世代に基づいている場合に、携帯電話ユーザに対するサービスの中断を伴わずに、１つの移動体無線通信ネットワークから別の移動体無線通信ネットワークへ技術を動的に切り替えることが必要になることがある。
【０００７】
[005]この要件は、ＵＥを異なる無線通信ネットワーク間でシームレスに移動できるようにする互換性メカニズムに対する必要性を浮き彫りにする。
【０００８】
[006]そのような世代の切り替えの実施形態は、ＵＥが５Ｇの通信ネットワークから４Ｇの通信ネットワークへ移動するときに発生するネットワークの切り替えであってもよい。５Ｇの通信ネットワークは、４Ｇの通信ネットワークよりも非常に大きいキャパシティを有している。５Ｇの通信ネットワークでは、ＵＥは、４Ｇの通信ネットワークにおけるよりも多くのオープン通信接続を維持することができる。実際に、オープン接続の最大数は、５Ｇでは無制限であるが、４Ｇでは８つに制限される。５Ｇの通信ネットワークから４Ｇの通信ネットワークに切り替えるときに、ＵＥへの一部の通信接続は機能し続けることができるが、他の通信接続を切断又は一時中断することが必要になる。
【０００９】
[007]通信接続を切断する必要があるのか、それとも継続できるのかを制御するために、５Ｇで新しい通信接続を作成するときに（例えば、新しい通信セッションを確立するときに）、５Ｇの移動体通信ネットワークのコアネットワークの構成要素は、いわゆるＥＰＳ（Ｅｖｏｌｖｅｄ  Ｐａｃｋｅｔ  Ｓｙｓｔｅｍ）ベアラ識別子（ＩＤ）（ＥＢＩ）（４ＧのＥＰＣ（Ｅｖｏｌｖｅｄ  Ｐａｃｋｅｔ  Ｃｏｒｅ）へのハンドオーバの場合に使用される４Ｇのパラメータ）を割り当てる必要がある。ＥＢＩパラメータは、ＵＥが５Ｇの通信ネットワークから４Ｇの通信ネットワークに移動するときに４Ｇの通信コアネットワーク（言い換えると、ＥＰＣ）が使用する、基本的にユーザプレーンベアラの識別子である。最終的に、ＵＥが５Ｇの通信ネットワークから４Ｇの通信ネットワークに移動するときに、５Ｇでの通信接続が継続性を有するかどうかを、５ＧでのＥＢＩの状態が示す。
【００１０】
[008]図１は、メッセージシーケンス図１００を示しており、この図は、「Ｐｒｏｃｅｄｕｒｅｓ  ｆｏｒ  ｔｈｅ  ５Ｇ  Ｓｙｓｔｅｍ」というタイトルの３ＧＰＰ  ＴＳ  ２３．５０２、バージョン１．３．０に従ったパケットデータユニット（ＰＤＵ：Ｐａｃｋｅｔ  Ｄａｔａ  Ｕｎｉｔ）セッションの確立時に、５Ｇの通信ネットワーク内の通信接続のＥＢＩパラメータを決定する（言い換えると、生成する）ために提供される、さまざまなメッセージを示している。
【００１１】
[009]さまざまな構成要素が通信セッション開始に関与しており、それらの構成要素は、ＵＥ１０２などの携帯端末、並びに少なくとも１つのアクセスモビリティ管理機能（ＡＭＦ：Ａｃｃｅｓｓ  Ｍｏｂｉｌｉｔｙ  Ｍａｎａｇｅｍｅｎｔ  Ｆｕｎｃｔｉｏｎｓ）構成要素１１２、及び少なくとも１つのセッション管理機能（ＳＭＦ：Ｓｅｓｓｉｏｎ  Ｍａｎａｇｅｍｅｎｔ  Ｆｕｎｃｔｉｏｎｓ）構成要素１１４を含んでいる５Ｇの通信コアネットワーク１１０であってもよい。
【００１２】
[0010]ＵＥ１０２は、ＰＤＵ通信セッション確立要求メッセージ１２０（ＰＤＵ＿Ｓｅｓｓｉｏｎ＿Ｅｓｔａｂｌｉｓｈｍｅｎｔ＿Ｒｅｑｕｅｓｔタイプのメッセージであってもよい）を生成してもよく、ＵＥ１０２は、このメッセージを、ＰＤＵ通信セッション確立要求（メッセージ１２０）を受信する役割を担うコアネットワーク内の構成要素（例えば、ＡＭＦ１１２など）に送信してもよい。
【００１３】
[0011]ＡＭＦ１１２は、メッセージ１２０を受信したときに、ＳＭＦ１１４に向けられるＰＤＵ通信セッション作成要求メッセージ１３０（Ｎａｍｆ＿ＰＤＵＳｅｓｓｉｏｎ＿ＣｒｅａｔｅＳＭＣｏｎｔｅｘｔタイプのメッセージであってもよい）を発行してもよい。言い換えると、ＡＭＦ１１２は、ＰＤＵ通信セッション作成要求メッセージ１３０を生成してもよく、このメッセージを、通信コアネットワークの別の構成要素（例えば、ＳＭＦ１１４など）に送信してもよい。
【００１４】
[0012]ＳＭＦ１１４は、メッセージ１３０を受信したときに、ＳＭＦ１１４が利用できる情報を排他的に使用して、ＰＤＵ通信セッションに関連付けられた各通信接続のＥＰＩの状態に関する決定を行い、その後、ＡＭＦ１１２に向けられるＰＤＵコンテキスト作成応答メッセージ１３２（Ｎｓｍｆ＿ＰＤＵＳｅｓｓｉｏｎ＿ＣｒｅａｔｅＳＭＣｏｎｔｅｘｔ＿Ｒｅｓｐｏｎｓｅタイプのメッセージであってもよい）、及びやはりＡＭＦ１１２に向けられる通信ＥＢＩ割り当てメッセージ１４０（Ｎａｍｆ＿Ｃｏｍｍｕｎｉｃａｔｉｏｎ＿ＥＢＩＡｓｓｉｇｎｍｅｎｔタイプのメッセージであってもよい）を発行する。このようにして、ＳＭＦは、ＰＤＵ通信セッションに関連付けられた通信接続ごとに、ＰＤＵコンテキスト作成応答メッセージ１３２及び通信ＥＢＩ割り当てメッセージ１４０を生成してもよく、メッセージ１３２、１４０の両方をＡＭＦ１１２に送信してもよい。
【００１５】
[0013]ＡＭＦは、メッセージ１３２を受信したときに、要求されたＥＢＩを、ＥＢＩが要求されたＰＤＵ通信セッションの通信接続に割り当てることを試みてもよい。４Ｇの通信ネットワーク内では、ＵＥは、確立された通信セッションごとに最大で８つのＥＢＩ接続を保持できるため、ＥＢＩが要求されたときに、ＡＭＦ１１２は、ＥＢＩを必要とする既存の接続の数を検証してもよい。ＥＢＩを必要とする既存の接続の数が８未満である場合、ＡＭＦ１１２は、要求されたＥＢＩを割り当て、ＥＢＩを必要とする既存の接続の数が８である場合、ＡＭＦ１１２は、追加のＥＢＩ要求を拒否してもよい。
【００１６】
[0014]ＡＭＦ１１２は、ＥＢＩを通信接続に割り当てたときに、ＳＭＦ１１４に向けられるＥＢＩ更新メッセージ１４２（Ｎｓｍｆ＿ＰＤＵＳｅｓｓｉｏｎ＿ＵｐｄａｔｅＳＭＣｏｎｔｅｘｔＲｅｑｕｅｓｔタイプのメッセージであってもよい）、及びＵＥ１０２に向けられるＰＤＵ通信セッションを開始又は変更するための通信１２２を発行してもよい。このようにして、ＡＭＦ１１２は、ＥＢＩ更新メッセージ１４２を生成してもよく、このメッセージをＳＭＦ１１４に送信してもよく、その後、ＵＥ１０２のためのＰＤＵ通信セッションを開始又は変更（１２２）してもよい。言い換えると、ＡＭＦは、必要なプロセスをトリガーして、新しい接続を可能にするか、又は拒否する。
【００１７】
[0015]別の選択肢は、ＳＭＦが通信ＥＢＩ割り当てメッセージ１４０を生成し、ＡＭＦ１１２がＥＢＩ更新メッセージ１４２を生成し、ＳＭＦがＰＤＵコンテキスト作成応答メッセージ１３２を生成し、最後にＡＭＦ１１２がＵＥ１０２のためのＰＤＵ通信セッションを開始又は変更（１２２）することである。
【００１８】
[0016]このメッセージシーケンスに伴う実際的問題は、ローカルポリシーに基づいてＳＭＦ１１４によってＥＢＩ割り当てがトリガーされることである。異なるＳＭＦによって処理される異なる接続、ＱｏＳフロー、スライス、又は異なるアクセスポイント名（ＡＰＮ：Ａｃｃｅｓｓ  Ｐｏｉｎｔ  Ｎａｍｅ）及びドメインネットワーク名（ＤＮＮ：Ｄｏｍａｉｎ  Ｎｅｔｗｏｒｋ  Ｎａｍｅ）の間での協調を実現するのは、不可能である。
【００１９】
[0017]ＥＢＩの割り当てに関する決定ポイントを、いわゆるポリシー制御機能（ＰＣＦ：Ｐｏｌｉｃｙ  Ｃｏｎｔｒｏｌ  Ｆｕｎｃｔｉｏｎ）に移動することによって、改善されたプロセスを実現できる。異なる通信ネットワークのスライス／ＤＮＮ間の優先順位付けをＰＣＦが考慮することができるため、このポリシー制御機能は、やはり通信コアネットワーク内に置かれる。
【００２０】
[0018]図２は、新しい通信接続のＥＢＩの状態がＰＣＦによって確立されるときに、通信セッション開始プロセス中に５Ｇの通信ネットワークでの通信接続のＥＢＩパラメータを確立するために提供されるさまざまなメッセージの１つのバージョンを示すメッセージシーケンス図２００を示している。
【００２１】
[0019]通信セッション開始に関与しているさまざまな構成要素は、ＵＥ１０２などの携帯端末、並びに少なくとも１つのアクセスモビリティ管理機能（ＡＭＦ）構成要素１１２、少なくとも１つのセッション管理機能（ＳＭＦ）構成要素１１４、及び少なくとも１つのポリシー制御機能（ＰＣＦ）構成要素２１６を含んでいる５Ｇの通信コアネットワーク１１０であってもよい。
【００２２】
[0020]ＵＥ１０２は、任意の望ましい移動体無線通信技術（３Ｇの移動体無線通信技術、４Ｇの移動体無線通信技術、又は５Ｇの移動体無線通信技術など）に従った移動体無線通信のために提供される任意のプロセッサ、回路、或いは構成要素又はモジュールを含んでもよい。例として、ＵＥ１０２は、１つ又は複数のアンテナ、例えば１つ又は複数の増幅器（例えば、１つ又は複数の電力増幅器（ＰＡ：ｐｏｗｅｒ  ａｍｐｌｉｆｉｅｒｓ）、１つ又は複数の低ノイズ増幅器（ＬＮＡ：ｌｏｗ  ｎｏｉｓｅ  ａｍｐｌｉｆｉｅｒｓ）など）を含む１つ又は複数の無線周波数（ＲＦ：Ｒａｄｉｏ  Ｆｒｅｑｕｅｎｃｙ）フロントエンド回路を含んでもよい。ＵＥ１０２は、受信された信号又は送信される信号のベースバンド処理のために提供される１つ又は複数のベースバンド回路をさらに含んでもよい。さらに、ＵＥ１０２は、さらに高いレベルの信号処理のため、又はアプリケーションプログラムの提供のために、１つ又は複数のアプリケーションプロセッサを含んでもよい。したがって、プロセッサ又はコントローラは、アナログ回路、デジタル回路、混合信号回路、論理回路、プロセッサ、マイクロプロセッサ、中央処理装置（ＣＰＵ：Ｃｅｎｔｒａｌ  Ｐｒｏｃｅｓｓｉｎｇ  Ｕｎｉｔ）、グラフィックスプロセッシングユニット（ＧＰＵ：Ｇｒａｐｈｉｃｓ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、集積回路、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）などであるか、又はこれらの任意の組合せであってもよい。下でさらに詳細に説明される各機能の任意のその他の種類の実装は、プロセッサ、コントローラ、又は論理回路として理解されてもよい。本明細書において詳述されるプロセッサ、コントローラ、又は論理回路のうちの任意の２つ（又は２つ以上）が、同等の機能又は同様のものを有する単一の実体として実現されてもよいということ、及び反対に、本明細書において詳述される任意の単一のプロセッサ、コントローラ、又は論理回路が、同等の機能又は同様のものを有する２つ（又は２つ以上）の別々の実態として実現されてもよいということが、理解される。
【００２３】
[0021]本開示のさまざまな態様において、ＵＥ１０２は、ＡＭＦ１１２に向けられるＰＤＵ通信セッション確立要求メッセージ１２０（ＰＤＵ＿Ｓｅｓｓｉｏｎ＿Ｅｓｔａｂｌｉｓｈｍｅｎｔ＿Ｒｅｑｕｅｓｔタイプのメッセージであってもよい）で、ＰＤＵ通信セッション確立を開始する。さらに詳細には、ＵＥ１０２は、ＰＤＵ通信セッション確立要求メッセージ１２０を生成してもよく、このメッセージをＡＭＦ１１２に送信してもよい。
【００２４】
[0022]ＡＭＦ１１２は、メッセージ１２０を受信したときに、ＳＭＦ１１４に向けられるＰＤＵ通信セッション作成要求メッセージ１３０（Ｎａｍｆ＿ＰＤＵＳｅｓｓｉｏｎ＿ＣｒｅａｔｅＳＭＣｏｎｔｅｘｔタイプのメッセージであってもよい）を発行する。さらに詳細には、ＡＭＦ１１２は、ＰＤＵ通信セッション作成要求メッセージ１３０を生成してもよく、このメッセージをＳＭＦ１１４に送信してもよい。
【００２５】
[0023]ＳＭＦ１１４は、メッセージ１３０を受信したときに、確立においてＰＤＵ通信セッションのＥＢＩの状態に関する決定を要求する、ＰＣＦ２１６に向けられる制御ポリシー取得メッセージ２４０（Ｎｐｃｆ＿ＳＭＰｏｌｉｃｙＣｏｎｔｒｏｌ＿Ｇｅｔタイプのメッセージであってもよい）を発行してもよい。さらに詳細には、ＳＭＦ１１４は、制御ポリシー取得メッセージ２４０を生成してもよく、このメッセージをＰＣＦ２１６に送信してもよい。さまざまな実施形態では、制御ポリシー取得メッセージ２４０は、メッセージフィールドを、メッセージヘッダー部分に、又はＰＣＦ２１６からＥＢＩの状態に関する決定を要求する制御ポリシー取得メッセージ２４０のペイロード内のエンコードされた情報に含んでもよい。
【００２６】
[0024]ＰＣＦ２１６は、制御ポリシー取得メッセージ２４０を受信したときに、ＰＣＦ２１６の制御ポリシーを使用して、確立においてＰＤＵ通信セッションに関連付けられた各通信接続のＥＢＩの状態に関する決定を行う。一部の実施形態では、各ＥＢＩの状態の決定は、ＱｏＳパラメータ及びスライス／ＤＮＮの優先順位付けに基づく、ＥＢＩが必要であるかどうかの判定を含んでもよい。言い換えると、ＰＣＦは、高品質のサービスをＵＥ及び最終的にエンドユーザに提供する方法に関する決定に応じて、ＥＢＩが「必要」であるのか、それとも「不必要」であるのかの判定を行う。
【００２７】
[0025]加えて、ＰＣＦ２１６は、割り当てられたＥＢＩの状態を伝える、ＳＭＦ１１４へのイベント公開サブスクライブメッセージ２４２（Ｎｓｍｆ＿ＥｖｅｎｔＥｘｐｏｓｕｒｅ＿Ｓｕｂｓｃｒｉｂｅタイプのメッセージであってもよい）を発行してもよい。言い換えると、ＰＣＦ２１６は、イベント公開サブスクライブメッセージ２４２を生成してもよく、このメッセージをＳＭＦ１１４に送信してもよい。イベント公開サブスクライブメッセージ２４２は、メッセージフィールドを、メッセージヘッダーに、又は割り当てられたＥＢＩの状態を示すイベント公開サブスクライブメッセージ２４２のペイロード内のエンコードされた情報に含んでもよい。
【００２８】
[0026]ＥＢＩの状態は、関連するＥＢＩの重要性又は関連性を示すＥＢＩ＿Ｒｅｑｕｉｒｅｄインジケータを含んでもよい。一部の実施形態では、ＡＭＦなどのその他の構成要素が、ＥＢＩ＿Ｒｅｑｕｉｒｅｄインジケータに基づいて、どのＥＢＩを維持して、どのＥＢＩを削除するかを決定してもよい。
【００２９】
[0027]ＳＭＦ１１４は、イベント公開サブスクライブメッセージ２４２を受信したときに、ＡＭＦ１１２に向けられるＰＤＵコンテキスト作成応答メッセージ１３２（Ｎｓｍｆ＿ＰＤＵＳｅｓｓｉｏｎ＿ＣｒｅａｔｅＳＭＣｏｎｔｅｘｔ＿Ｒｅｓｐｏｎｓｅタイプのメッセージであってもよい）、及びやはりＡＭＦ１１２に向けられる通信ＥＢＩ割り当てメッセージ１４０（Ｎａｍｆ＿Ｃｏｍｍｕｎｉｃａｔｉｏｎ＿ＥＢＩＡｓｓｉｇｎｍｅｎｔタイプのメッセージであってもよい）を発行してもよい。このようにして、ＳＭＦ１１４は、ＰＤＵ通信セッションに関連付けられた通信接続ごとに、ＰＤＵコンテキスト作成応答メッセージ１３２及び通信ＥＢＩ割り当てメッセージ１４０という２つのメッセージを生成してもよく、メッセージ１３２、２４２の両方をＡＭＦ１１２に送信してもよい。
【００３０】
[0028]一部の実施形態では、メッセージ１３２及びメッセージ１４０は、インジケータを、メッセージヘッダー内、又はＥＢＩが必要であるかどうかを示すメッセージのペイロードにエンコードされた情報内のメッセージフィールドに含んでもよい。
【００３１】
[0029]ＡＭＦ１１２は、メッセージ１３２を受信したときに、要求されたＥＢＩを、ＥＢＩが要求されたＰＤＵ通信セッションの各通信接続に割り当てることを試みてもよい。ＥＢＩが要求された場合、４Ｇのネットワークでは、ＵＥ１０２が移動体無線通信セッションごとに最大で８つのＥＢＩ接続を保持できるため、ＡＭＦ１１２は、ＥＢＩを必要とする既存の接続の数をＵＥ１０２で使用できることを検証してもよい。この制約に違反していない場合、ＡＭＦ１１２は要求されたＥＢＩを割り当てることができ、この制約に違反している場合、ＡＭＦ１１２は、要求されたＥＢＩを割り当てるか、又は追加のＥＢＩの要求を拒否するか、或いはＥＢＩが必要であるかどうかを示すＥＢＩ＿ｒｅｑｕｉｒｅｄインジケータを考慮して、この状況の結果として、任意のその他の望ましい動作を実行することができる。これらの動作は、例えば、他の接続を停止又は遅延させるなど、ＵＥ１０２への他の接続に影響を与えることもある。これらの決定は、要求されたＥＢＩが必要であるかどうかを示すＥＢＩ＿ｒｅｑｕｉｒｅｄインジケータに基づいてもよい。
【００３２】
[0030]ＡＭＦ１１２は、ＥＢＩを通信接続に割り当てたときに、ＳＭＦ１１４に向けられるＥＢＩ更新メッセージ１４２（Ｎａｍｆ＿Ｃｏｍｍｕｎｉｃａｔｉｏｎ＿ＥＢＩＡｓｓｉｇｎｍｅｎｔタイプのメッセージであってもよい）、及びＵＥ１０２に向けられるＰＤＵ通信セッションを開始又は変更するための通信１２２を発行してもよい。さらに詳細には、ＡＭＦ１１２は、ＥＢＩ更新メッセージ１４２を生成してもよく、このメッセージをＳＭＦ１１４に送信してもよく、その後、通信セッション（例えば、ＵＥ１０２とのＰＤＵ通信セッション）を開始又は変更（１２２）してもよい。
【００３３】
[0031]別の選択肢は、ＳＭＦが通信ＥＢＩ割り当てメッセージ１４０を生成し、ＡＭＦ１１２がＥＢＩ更新メッセージ１４２を生成し、ＳＭＦがＰＤＵコンテキスト作成応答メッセージ１３２を生成し、最後にＡＭＦ１１２がＵＥ１０２のためのＰＤＵ通信セッションを開始又は変更（１２２）することである。
【００３４】
[0032]ＳＭＦ１１４は、メッセージ１４２を受信したときに、ＰＤＵ通信セッションの最後のＥＢＩの状態についてＰＣＦ２１６に知らせる、ＰＣＦ２１６に向けられるＥＢＩ更新メッセージ２４４（Ｕｐｄａｔｅ＿ＥＢＩタイプのメッセージであってもよい）を発行してもよい。
【００３５】
[0033]一部の実施形態では、メッセージ２４４は、メッセージフィールドを、メッセージヘッダー部分に、或いはペイロード又はＰＤＵ＿ｓｅｓｓｉｏｎ＿ＩＤ、Ｓｕｂｓｃｒｉｐｔｉｏｎ＿Ｐｅｒｍａｎｅｎｔ＿Ｉｄｅｎｔｉｆｉｅｒ（ＳＵＰＩ）、及びＰＤＵ通信セッションの最後のＥＢＩの状態に関する情報を示すメッセージ２４４のペイロード内のエンコードされた情報に含んでもよい。
【００３６】
[0034]図３は、ローミングの場合に、通信セッション開始プロセス中に５Ｇの通信ネットワークでの通信接続のＥＢＩパラメータを確立するために提供されるさまざまなメッセージの１つのバージョンを示すメッセージシーケンス図３００を示している。
【００３７】
[0035]通信セッション開始に関与するさまざまな構成要素は、ＵＥ１０２などの携帯端末と、図１のＡＭＦ１１２と機能的に同等であってもよい少なくとも１つの訪問アクセスモビリティ管理機能（Ｖ−ＡＭＦ：Ｖｉｓｉｔｉｎｇ  Ａｃｃｅｓｓ  Ｍｏｂｉｌｉｔｙ  Ｍａｎａｇｅｍｅｎｔ  Ｆｕｎｃｔｉｏｎｓ）構成要素３１２及び図１のＳＭＦ１１４と機能的に同等であってもよい少なくとも１つの訪問セッション管理機能（Ｖ−ＳＭＦ：Ｖｉｓｉｔｉｎｇ  Ｓｅｓｓｉｏｎ  Ｍａｎａｇｅｍｅｎｔ  Ｆｕｎｃｔｉｏｎｓ）構成要素３１４を含んでいる訪問５Ｇ通信コアネットワーク３１０と、図１のＳＭＦ１１４と機能的に同等であってもよい少なくとも１つのホームセッション管理機能（Ｈ−ＳＭＦ：Ｈｏｍｅ  Ｓｅｓｓｉｏｎ  Ｍａｎａｇｅｍｅｎｔ  Ｆｕｎｃｔｉｏｎｓ）構成要素３２４及び図２のＰＣＦ２１６と機能的に類似しているか、又は基本的に同一であってもよい少なくとも１つのホームポリシー制御機能（Ｈ−ＰＣＦ：Ｈｏｍｅ  Ｐｏｌｉｃｙ  Ｃｏｎｔｒｏｌ  Ｆｕｎｃｔｉｏｎ）構成要素３１６を含んでいるホーム５Ｇ通信コアネットワーク３２０とであってもよい。訪問５Ｇ通信コアネットワーク３１０は、ＵＥ１２０のローミング先である移動体無線通信ネットワークのコアネットワークであり、ホーム５Ｇ通信コアネットワーク３２０は、ＵＥ１０２のローミング元である移動体無線通信ネットワークのコアネットワークである。
【００３８】
[0036]ＵＥ１０２は、Ｖ−ＡＭＦ３１２に向けられるＰＤＵ通信セッション確立要求メッセージ３０２（ＰＤＵ＿Ｓｅｓｓｉｏｎ＿Ｅｓｔａｂｌｉｓｈｍｅｎｔ＿Ｒｅｑｕｅｓｔタイプのメッセージであってもよい）で、ＰＤＵ通信セッション確立を開始する。さらに詳細には、ＵＥ１０２は、ＰＤＵ通信セッション確立要求メッセージ３０２を生成してもよく、このメッセージをＶ−ＡＭＦ３１２に送信してもよい。
【００３９】
[0037]Ｖ−ＡＭＦ３１２は、メッセージ３０２を受信したときに、Ｖ−ＳＭＦ３１４へのＰＤＵ通信セッション作成要求メッセージ３３０（ＳＭ＿Ｒｅｑｕｅｓｔ＿ｗｉｔｈ＿ＰＤＵ＿Ｓｅｓｓｉｏｎ＿Ｅｓｔａｂｌｉｓｈｍｅｎｔ＿Ｒｅｑｕｅｓｔタイプのメッセージであってもよい）を発行してもよい。さらに詳細には、Ｖ−ＡＭＦ３１２は、ＰＤＵ通信セッション作成要求メッセージ３３０を生成してもよく、このメッセージをＶ＿ＳＭＦ３１４に送信してもよい。
【００４０】
[0038]Ｖ−ＳＭＦ３１４は、ＰＤＵ通信セッション作成要求メッセージ３３０を受信したときに、Ｈ−ＳＭＦ３２４へのＰＤＵ通信セッション作成要求メッセージ３３１（Ｃｒｅａｔｅ＿ＰＤＵ＿Ｓｅｓｓｉｏｎ＿Ｒｅｑｕｅｓｔタイプのメッセージであってもよい）を発行してもよい。さらに詳細には、Ｖ−ＳＭＦ３１４は、ＰＤＵ通信セッション作成要求メッセージ３３１を生成してもよく、このメッセージをＨ−ＳＭＦ３２４に送信してもよい。
【００４１】
[0039]Ｈ−ＳＭＦ３２４は、ＰＤＵ通信セッション作成要求メッセージ３３１を受信したときに、確立においてＰＤＵ通信セッションに関連付けられた各通信接続のＥＢＩの状態に関する決定を要求する目的を持っていてもよい、Ｈ−ＰＣＦ３１６に向けられる制御ポリシー取得メッセージ３４０（Ｎｐｃｆ＿ＳＭＰｏｌｉｃｙＣｏｎｔｒｏｌ＿Ｇｅｔタイプのメッセージであってもよい）を発行してもよい。さらに詳細には、Ｈ−ＳＭＦ３２４は、制御ポリシー取得メッセージ３４０を生成してもよく、このメッセージをＨ−ＰＣＦ３１６に送信してもよい。さまざまな実施形態では、制御ポリシー取得メッセージ３４０は、メッセージフィールドを、メッセージヘッダー部分に、又はＨ−ＰＣＦ３１６からＥＢＩの状態に関する決定を要求する制御ポリシー取得メッセージ３４０のペイロード内のエンコードされた情報に含んでもよい。
【００４２】
[0040]Ｈ−ＰＣＦ３１６は、制御ポリシー取得メッセージ３４０を受信した後に、Ｈ−ＰＣＦ３１６の制御ポリシーを使用して、確立においてＰＤＵ通信セッションで必要なＥＢＩの状態に関する決定を行う。一部の実施形態では、ＥＢＩの状態の決定は、ＱｏＳパラメータ及びスライス／ＤＮＮの優先順位付けに基づく、ＥＢＩが必要であるかどうかの判定を含んでもよい。そのような決定プロセスは、ＰＣＦ２１６によって実行される決定プロセスと機能的に同等である。
【００４３】
[0041]Ｈ−ＰＣＦ３１６は、確立においてＰＤＵ通信セッションのＥＢＩの状態を決定したときに、割り当てられたＥＢＩの状態を伝える、Ｈ−ＳＭＦ３２４に向けられるイベント公開サブスクライブメッセージ３４２（Ｎｓｍｆ＿ＥｖｅｎｔＥｘｐｏｓｕｒｅ＿Ｓｕｂｓｃｒｉｂｅタイプのメッセージであってもよい）を発行してもよい。言い換えると、Ｈ−ＰＣＦ３１６は、イベント公開サブスクライブメッセージ３４２を生成してもよく、このメッセージをＨ−ＳＭＦ３２４に送信してもよい。イベント公開サブスクライブメッセージ３４２は、メッセージフィールドを、メッセージヘッダーに、又は割り当てられたＥＢＩの状態を示すイベント公開サブスクライブメッセージ３４２のペイロード内のエンコードされた情報に含んでもよい。
【００４４】
[0042]ＥＢＩの状態は、関連するＥＢＩの重要性又は関連性を示すＥＢＩ＿Ｒｅｑｕｉｒｅｄインジケータを含んでもよい。一部の実施形態では、ＡＭＦなどのその他の構成要素が、ＥＢＩ＿Ｒｅｑｕｉｒｅｄインジケータに基づいて、どのＥＢＩを維持して、どのＥＢＩを削除するかを決定してもよい。
【００４５】
[0043]Ｈ−ＳＭＦ３２４は、イベント公開サブスクライブメッセージ３４２を受信したときに、Ｖ−ＳＭＦ３１４に向けられるＰＤＵセッション作成応答メッセージ３５４（Ｃｒｅａｔｅ＿ＰＤＵ＿Ｓｅｓｓｉｏｎ＿Ｒｅｓｐｏｎｓｅタイプのメッセージであってもよい）を発行してもよい。加えて、Ｈ−ＳＭＦ３２４は、Ｖ−ＳＭＦ３１４に向けられる通信ＥＢＩ割り当てメッセージ３３３（Ｎａｍｆ＿Ｃｏｍｍｕｎｉｃａｔｉｏｎ＿ＥＢＩＡｓｓｉｇｎｍｅｎｔタイプのメッセージであってもよい）を発行してもよい。このようにして、Ｈ−ＳＭＦ３２４は、ＰＤＵコンテキスト作成応答メッセージ３５４及び通信ＥＢＩ割り当てメッセージ３３３という２つのメッセージを生成してもよく、メッセージ３５４、３３３の両方をＶ−ＳＭＦ３１４に送信してもよい。
【００４６】
[0044]一部の実施形態では、メッセージ３５４及び／又は３３３は、インジケータを、メッセージヘッダー内、又はＥＢＩが必要であるかどうかを示すメッセージのペイロードにエンコードされた情報内のメッセージフィールドのうちの１つに含んでもよい。
【００４７】
[0045]Ｖ−ＳＭＦ３１４は、メッセージ３５４及び３３３を受信したときに、Ｖ−ＡＭＦ３１２に向けられる通信ＥＢＩ割り当てメッセージ３３２（Ｎａｍｆ＿Ｃｏｍｍｕｎｉｃａｔｉｏｎ＿ＥＢＩＡｓｓｉｇｎｍｅｎｔタイプのメッセージであってもよい）を発行してもよい。さらに詳細には、Ｖ−ＳＭＦ３１４は、通信ＥＢＩ割り当てメッセージ３３２を生成してもよく、このメッセージをＶ−ＡＭＦ３１２に送信してもよい。
【００４８】
[0046]一部の実施形態では、メッセージ３３２及び３３３は、ＥＢＩ＿ｒｅｑｕｉｒｅｄインジケータを、メッセージヘッダー内、又はＥＢＩが必要であるかどうかを示すメッセージのペイロードにエンコードされた情報内のメッセージフィールドのうちの１つに含んでもよい。
【００４９】
[0047]Ｖ−ＡＭＦ３１２は、通信ＥＢＩ割り当てメッセージ３３２を受信したときに、要求されたＥＢＩを、ＥＢＩが要求されたＰＤＵ通信接続セッションの各通信接続に割り当てることを試みてもよい。ＥＢＩが要求された場合、４Ｇのネットワークでは、ＵＥ１０２が通信セッションごとに最大で８つのＥＢＩ接続を保持できるため、Ｖ−ＡＭＦ３１２は、ＥＢＩを必要とする既存の通信接続の数をＵＥ１０２で使用できることを検証してもよい。この制約に違反していない場合、Ｖ−ＡＭＦ３１２は要求されたＥＢＩを割り当て、この制約に違反している場合、Ｖ−ＡＭＦ３１２は、要求されたＥＢＩを割り当てるか、又は追加のＥＢＩの要求を拒否するか、或いはＥＢＩが必要であるかどうかを示すＥＢＩ＿ｒｅｑｕｉｒｅｄインジケータを考慮して、この状況の結果として、任意のその他の望ましい動作を実行することができる。これらの動作は、例えば、他の接続を停止又は遅延させるなど、ＵＥ１０２への他の接続に影響を与えることもある。これらの決定は、要求されたＥＢＩが必要であるかどうかを示すＥＢＩ＿ｒｅｑｕｉｒｅｄインジケータに基づいてもよい。
【００５０】
[0048]Ｖ−ＡＭＦ３１２は、ＥＢＩを通信接続に割り当てたときに、Ｖ−ＳＭＦ３１４に向けられるＥＢＩ更新メッセージ３３４（Ｎａｍｆ＿Ｃｏｍｍｕｎｉｃａｔｉｏｎ＿ＥＢＩＡｓｓｉｇｎｍｅｎｔタイプのメッセージであってもよい）、及びＵＥ１０２に向けられるＰＤＵ通信セッションを開始又は変更するための通信１２２を発行してもよい。さらに詳細には、Ｖ−ＡＭＦ３１２は、ＥＢＩ更新メッセージ３３４を生成してもよく、このメッセージをＶ−ＳＭＦ３１４に送信してもよく、その後、通信（例えば、ＵＥ１０２とのＰＤＵ通信セッション）を開始又は変更してもよい。
【００５１】
[0049]別の選択肢は、Ｖ−ＳＭＦが通信ＥＢＩ割り当てメッセージ３３２を生成し、Ｖ−ＡＭＦ３１２がＥＢＩ更新メッセージ３３４を生成し、ＳＭＦがＰＤＵセッション確立承認メッセージ３５０を生成し、最後にＶ−ＡＭＦ３１２がＵＥ１０２のためのＰＤＵ通信セッションを開始又は変更（３０４）することである。
【００５２】
[0050]Ｖ−ＳＭＦ３１４は、ＥＢＩ更新メッセージ３３４を受信したときに、Ｈ−ＳＭＦ３２４に向けられる第２のＥＢＩ更新メッセージ３３５（Ｎａｍｆ＿Ｃｏｍｍｕｎｉｃａｔｉｏｎ＿ＥＢＩＡｓｓｉｇｎｍｅｎｔタイプのメッセージであってもよい）を発行してもよい。さらに詳細には、Ｖ−ＳＭＦ３１４は、第２のＥＢＩ更新メッセージ３３５を生成してもよく、このメッセージをＨ−ＳＭＦ３２４に送信してもよい。
【００５３】
[0051]一部の実施形態では、メッセージ３３４及び３３５は、メッセージフィールドを、メッセージヘッダー部分に、或いはペイロード又はＰＤＵ通信セッションのＥＢＩの状態、ＰＤＵ＿ｓｅｓｓｉｏｎ＿ＩＤ、及びＳｕｂｓｃｒｉｐｔｉｏｎ＿Ｐｅｒｍａｎｅｎｔ＿Ｉｄｅｎｔｉｆｉｅｒ（ＳＵＰＩ）に関するペイロード情報内のエンコードされた情報に含んでもよい。
【００５４】
[0052]Ｈ−ＳＭＦ３２４は、第２のＥＢＩ更新メッセージ３３５を受信したときに、Ｈ−ＰＣＦ３１６に向けられる第３のＥＢＩ更新メッセージ３４４（Ｕｐｄａｔｅ＿ＥＢＩタイプのメッセージであってもよい）を発行してもよい。さらに詳細には、Ｈ−ＳＭＦ３２４は、第３のＥＢＩ更新メッセージ３４４を生成してもよく、このメッセージをＨ−ＰＣＦ３１６に送信してもよい。
【００５５】
[0053]一部の実施形態では、メッセージ３４４は、メッセージフィールドを、メッセージヘッダー部分に、或いはペイロード又はＰＤＵ＿ｓｅｓｓｉｏｎ＿ＩＤ、Ｓｕｂｓｃｒｉｐｔｉｏｎ＿Ｐｅｒｍａｎｅｎｔ＿Ｉｄｅｎｔｉｆｉｅｒ（ＳＵＰＩ）、及びＰＤＵ通信セッションのＥＢＩの状態に関する情報を示すメッセージ３４４のペイロード内のエンコードされた情報に含んでもよい。
【００５６】
[0054]Ｖ−ＳＭＦは、メッセージ３３４を受信したときに、Ｖ＿ＡＭＦ３１２への検証メッセージ３５０（ＳＭ＿Ｒｅｑｕｅｓｔ＿Ａｃｋ  ｗｉｔｈ＿ＰＤＵ＿Ｓｅｓｓｉｏｎ＿Ｅｓｔａｂｌｉｓｈｍｅｎｔ＿Ａｃｃｅｐｔタイプのメッセージであってもよい）を発行してもよい。
【００５７】
[0055]さまざまな実施形態では、移動体通信ネットワーク内で、ＰＤＵセッション確立手順の間にＵＥにＥＢＩを割り当てるための方法が提供される。この方法は、例示的には、以下のさまざまな態様を含んでもよい。
【００５８】
[0056]  −ＵＥが事業者の移動体通信ネットワークにアクセスできるようにする、無線アクセスネットワーク（ＲＡＮ：Ｒａｄｉｏ  Ａｃｃｅｓｓ  Ｎｅｔｗｏｒｋ）。
【００５９】
[0057]  −移動体通信ネットワークにアクセスするＵＥ。
【００６０】
[0058]  −以下をさらに含んでいるネットワーク機能のセットから成る移動体コアネットワーク。
【００６１】
[0059]  −ＵＥが移動体通信ネットワークにアクセスするためのモビリティ管理及び移動体ネットワークアクセス制御を処理するアクセス及びモビリティ管理機能（ＡＭＦ）。
【００６２】
[0060]  −ＵＥが、ＵＥ、ＲＡＮ、及びコアネットワーク（ＣＮ：Ｃｏｒｅ  Ｎｅｔｗｏｒｋ）の間のＰＤＵセッションを確立／変更／解放するためのセッション管理を処理するセッション管理機能（ＳＭＦ）。
【００６３】
[0061]  −ＵＥにＥＢＩを割り当てるためのポリシーを決定し、ＥＢＩを割り当てるためのこのポリシーを前述のＳＭＦに提供する、ネットワーク機能。
【００６４】
[0062]  −ＥＢＩを割り当てるためのポリシーを考慮することによって、前述のＳＭＦが、ＰＤＵセッションを確立するためにＥＢＩの割り当てが必要であるかどうかを判定する。必要である場合、ＳＭＦは、ＥＢＩ割り当て要求をＡＭＦに送信する。
【００６５】
[0063]  −前述のＡＭＦは、前述のＳＭＦの要求通りに、ＥＢＩを割り当てる。
【００６６】
[0064]ＥＢＩを割り当てるためのポリシーは、ＰＤＵセッションにおける特定のＱｏＳフローに関する、ＥＢＩによって要求された指示を含んでもよい。
【００６７】
[0065]以下に、本開示のさまざまな態様を示す。
【００６８】
[0066]例１は、通信接続を確立する方法である。この方法は、セッション管理機能構成要素によって移動体無線通信ネットワークの通信ネットワーク構成要素においてメッセージを受信して、新しい通信セッションを確立することと、このセッション管理機能構成要素が、接続のためのＥＰＳベアラ識別子が通信接続に必要であるかどうかに関する情報を要求する要求メッセージをポリシー制御機能構成要素に送信することと、このセッション管理機能構成要素が、ポリシー制御機能構成要素から応答メッセージを受信することであって、この応答メッセージが、ＥＰＳベアラ識別子が必要であるかどうかに関してを示すメッセージフィールドを含んでいる、ことと、このセッション管理機能構成要素が、ＥＰＳベアラ識別子割り当て要求メッセージをアクセス及びモビリティ管理機能構成要素に送信し、このセッション管理機能構成要素が、アクセス及びモビリティ管理機能構成要素から応答メッセージを受信することであって、この応答メッセージが、割り当てられたＥＰＳベアラ識別子を示すメッセージフィールドを含んでいる、こととを含んでもよい。
【００６９】
[0067]例２は、通信セッションを確立する方法である。この方法は、ポリシー制御機能構成要素が、セッション管理機能構成要素から、接続のためのＥＰＳベアラ識別子が必要であるかどうかに関する情報を要求する要求メッセージを受信することと、このポリシー制御機能構成要素が、要求メッセージにおいて示された接続のためのＥＰＳベアラ識別子が必要であるかどうかを判定することと、接続のためのＥＰＳベアラ識別子が必要である場合に、接続のためのＥＰＳベアラ識別子を生成し、応答メッセージにおいてセッション管理機能構成要素に送信することとを含んでもよい。
【００７０】
[0068]例３では、例２の対象は、接続のためのＥＰＳベアラ識別子が不要である場合に、ＥＰＳベアラ識別子が接続に必要ないことを示す応答メッセージを生成して、セッション管理機能構成要素に送信することを、任意選択で含むことができる。
【００７１】
[0069]例４では、例２又は３のうちのいずれか１つの対象は、接続のためのＥＰＳベアラ識別子が、異なる通信ネットワークのスライス及び／又はドメインネットワーク名の間の優先順位付けを考慮することに基づくかどうかを判定することを、任意選択で含むことができる。
【００７２】
[0070]例５は、通信セッションを確立するためのセッション管理機能デバイスである。このデバイスは、移動体無線通信ネットワークの通信ネットワーク構成要素においてメッセージを受信して新しい通信セッションを確立するように構成された受信器と、接続のためのＥＰＳベアラ識別子が必要であるかどうかに関する情報を要求する要求メッセージをポリシー制御機能構成要素に送信するように構成された送信器と、ポリシー制御機能構成要素から応答メッセージを受信するようにさらに構成された受信器であって、この応答メッセージが、ＥＰＳベアラ識別子が必要であるかどうかに関してを示すメッセージフィールドを含んでいる、受信器と、セッション確立メッセージをアクセス及びモビリティ管理機能構成要素に送信し、ＥＰＳベアラ識別子がセッション確立メッセージに含まれている場合に、このＥＰＳベアラ識別子に基づいて通信セッションを確立するようにさらに構成された送信器とを含んでもよい。
【００７３】
[0071]例６は、通信セッションを確立するポリシー制御機能デバイスである。このデバイスは、セッション管理機能構成要素から、接続のためのＥＰＳベアラ識別子が必要であるかどうかに関する情報を要求する要求メッセージを受信するように構成された受信器と、要求メッセージにおいて示された接続のためのＥＰＳベアラ識別子が必要であるかどうかを判定するように構成された判定器と、接続のためのＥＰＳベアラ識別子が必要である場合に、接続のためのＥＰＳベアラ識別子を生成し、応答メッセージにおいてこのＥＰＳベアラ識別子をセッション管理機能構成要素に送信するように構成された生成器とを含んでもよい。
【００７４】
[0072]例７では、例６の対象は、生成器が、接続のためのＥＰＳベアラ識別子が不要な場合に、ＥＰＳベアラ識別子が接続に必要ないことを示す応答メッセージを生成して、セッション管理機能構成要素に送信するように構成されるということを、任意選択で含むことができる。
【００７５】
[0073]例８では、例６又は７のうちのいずれか１つの対象は、判定器が、接続のためのＥＰＳベアラ識別子が異なる通信ネットワークのスライス及び／又はドメインネットワーク名の間の優先順位付けを考慮することに基づくかどうかを判定するようにさらに構成されるということを、任意選択で含むことができる。
【００７６】
[0074]本発明は、特定の実施形態を参照して詳細に示され、説明されたが、本明細書での形態及び詳細におけるさまざまな変更が、添付の特許請求の範囲によって定義された本発明の思想及び範囲を逸脱することなく行われてもよいということが、当業者によって理解されるべきである。したがって、本発明の範囲は、添付の特許請求の範囲によって示され、特許請求の範囲と同等の意味及び範囲に含まれるすべての変更が包含されることが意図される。
【図１】
2020501383.tif 000003
【図２】
2020501383.tif 000004
【図３】
2020501383.tif 000005
【国際調査報告】
2020501383.tif 000006
2020501383.tif 000007